(57)【要約】【課題】  リアルタイムに針位置、日付、移動体位置を検出することができる針位置検出装置、日付検出装置、および移動体位置検出装置を提供する。【解決手段】  第１、第２の各光透過部２１ｂ、２２ａをそれぞれ有する分針７、時針６が回転して、この分針７、時針６の下側に配置されている第１ソーラーパネル１３における複数（例えば６０個）の受光部２４上を通過すると、第１、第２の各光透過部２１ｂ、２２ａを透過した光がこの複数の受光部２４を選択的に受光されるので、この光の受光状態に応じて分針７、時針６の針位置を確実に且つリアルタイムに検出することができる。【選択図】        図３
2010066054.tif 000002
【特許請求の範囲】
【請求項１】
光透過部を有して指針軸を中心に回転する指針と、
この指針の下側に配置されて前記光透過部の移動軌跡上に沿って受光部が複数に分割された光検出部を有するソーラーパネルと、
前記光透過部を透過した光を前記複数の受光部が選択的に受光し、この光の受光状態に応じて前記指針の位置を判断する判断手段と
を備えていることを特徴とする針位置検出装置。
【請求項２】
前記指針の前記光透過部と前記ソーラーパネルの前記光検出部とは、前記指針軸の近傍に設けられていることを特徴とする請求項１に記載の針位置検出装置。
【請求項３】
前記指針は、少なくとも分針と時針とを有し、この少なくとも分針と時針とは、相互に異なる回転軌跡上に前記光透過部がそれぞれ設けられており、
前記ソーラーパネルの前記光検出部は、前記分針の前記光透過部の回転軌跡上に対応して複数に分割された第１受光部と、前記時針の前記光透過部の回転軌跡上に対応して複数に分割された第２受光部とを有していることを特徴とする請求項１または請求項２に記載の針位置検出装置。
【請求項４】
円周に沿って日付が順次表示された各表示部にそれぞれ光の透過状態が異なる各光透過部が設けられた表示回転体と、
この表示回転体の上側に配置されて前記各表示部のいずれかが対応する表示窓部を有する文字板と、
前記表示回転体の下側に前記文字板の前記表示窓部と対応して配置され、且つ受光部が複数に分割された光検出部を有するソーラーパネルと、
前記表示窓部に対応した前記いずれかの表示部の前記光透過部を透過した光を前記複数の受光部が前記各光透過部の光透過状態に応じて受光し、この光の受光状態に応じて前記日付を判断する判断手段と
を備えていることを特徴とする日付検出装置。
【請求項５】
光透過部を有する移動体と、
この移動体の下側に配置されて前記光透過部の移動軌跡上に沿って受光部が複数に分割された光検出部を有するソーラーパネルと、
前記光透過部を透過した光を前記複数の受光部が選択的に受光し、この光の受光状態に応じて前記移動体の位置を判断する判断手段と
を備えていることを特徴とする移動体位置検出装置。
【発明の詳細な説明】
【技術分野】
【０００１】
この発明は、時計やメータなどの計器類に用いられる針位置検出装置、日付検出装置、および移動体位置検出装置に関する。
【背景技術】
【０００２】
例えば、時計の針位置検出装置においては、特許文献１に記載されているように、指針を運針させる輪列機構の歯車に光透過孔を設け、この歯車の一面に発光素子からの光を照射させ、この照射された光が歯車の光透過孔を透過した際、その透過した光を受光素子で受光することにより、歯車の位置を検出して指針の位置を判断するように構成されたものが知られている。
【特許文献１】特開２００６−４６９２４
【発明の開示】
【発明が解決しようとする課題】
【０００３】
しかしながら、このような従来の針位置検出装置では、歯車が所定角度回転しなければ、歯車の光透過孔が発光素子に対応せず、発光素子からの光が歯車の光透過孔を透過しないため、リアルタイムで指針の位置を検出することができないという問題がある。
【０００４】
この発明が解決しようとする課題は、リアルタイムに針位置、日付、移動体位置を検出することができる針位置検出装置、日付検出装置、および移動体位置検出装置を提供することである。
【課題を解決するための手段】
【０００５】
この発明は、上記課題を解決するために、次のような構成要素を備えている。
請求項１に記載の発明は、光透過部を有して指針軸を中心に回転する指針と、この指針の下側に配置されて前記光透過部の移動軌跡上に沿って受光部が複数に分割された光検出部を有するソーラーパネルと、前記光透過部を透過した光を前記複数の受光部が選択的に受光し、この光の受光状態に応じて前記指針の位置を判断する判断手段とを備えていることを特徴とする針位置検出装置である。
【０００６】
請求項２に記載の発明は、前記指針の前記光透過部と前記ソーラーパネルの前記光検出部とが、前記指針軸の近傍に設けられていることを特徴とする請求項１に記載の針位置検出装置である。
【０００７】
請求項３に記載の発明は、前記指針が、少なくとも分針と時針とを有し、この少なくとも分針と時針とは、相互に異なる回転軌跡上に前記光透過部がそれぞれ設けられており、前記ソーラーパネルの前記光検出部は、前記分針の前記光透過部の回転軌跡上に対応して複数に分割された第１受光部と、前記時針の前記光透過部の回転軌跡上に対応して複数に分割された第２受光部とを有していることを特徴とする請求項１または請求項２に記載の針位置検出装置である。
【０００８】
請求項４に記載の発明は、円周に沿って日付が順次表示された各表示部にそれぞれ光の透過状態が異なる各光透過部が設けられた表示回転体と、この表示回転体の上側に配置されて前記各表示部のいずれかが対応する表示窓部を有する文字板と、前記表示回転体の下側に前記文字板の前記表示窓部と対応して配置され、且つ受光部が複数に分割された光検出部を有するソーラーパネルと、前記表示窓部に対応した前記いずれかの表示部の前記光透過部を透過した光を前記複数の受光部が前記各光透過部の光透過状態に応じて受光し、この光の受光状態に応じて前記日付を判断する判断手段とを備えていることを特徴とする日付検出装置である。
【０００９】
請求項５に記載の発明は、光透過部を有する移動体と、この移動体の下側に配置されて前記光透過部の移動軌跡上に沿って受光部が複数に分割された光検出部を有するソーラーパネルと、前記光透過部を透過した光を前記複数の受光部が選択的に受光し、この光の受光状態に応じて前記移動体の位置を判断する判断手段とを備えていることを特徴とする移動体位置検出装置である。
【発明の効果】
【００１０】
この発明によれば、ソーラーパネルで発電することができると共に、このソーラーパネルに設けられた光検出部における複数の受光部が指針の光透過部を透過した光を選択的に受光し、この光の受光状態に応じて指針の位置を判断することができる。この結果、極めて簡単な構成で、リアルタイムに指針の位置を確実に検出することができる。
【発明を実施するための最良の形態】
【００１１】
（実施形態１）
以下、図１〜図１５を参照して、この発明を指針式の時計に適用した実施形態１について説明する。
この指針式の時計は、図１および図２に示すように、時計モジュール１を備えている。この時計モジュール１は、図２に示すように、時計ケース２内に収納されている。この時計ケース２の上部には、時計ガラス３が取り付けられており、この時計ケース２の下面には、裏蓋４が取り付けられている。
【００１２】
時計モジュール１は、図１に示すように、文字板５の上方を時針６、分針７、秒針８が運針して時刻を指示すると共に、文字板５の表示窓部９に日付１０を表示するように構成されている。この場合、文字板５は、透明な材料からなる円板状に形成されており、その周縁部には、図１に示すように、時字１１が設けられている。この文字板５の６時側には、秒時刻を表す副目盛部１２が設けられており、この文字板５の４時付近には、表示窓部９が設けられている。さらに、文字板５の下面における表示窓部９の内周には、文字板５を透過した外部光を受光して発電する第１ソーラーパネル１３が設けられている。
【００１３】
この文字板５の下側における第１ソーラーパネル１３の外周側に位置する箇所には、図２および図８に示すように、光透過性を有するリング状の日付表示板１４が回転可能に配置されており、この日付表示板１４の下側には、図２および図９に示すように、文字板５および日付表示板１４を透過した外部光を受光して発電するリング状の第２ソーラーパネル１５が設けられている。また、この第２ソーラーパネル１５の下側には、図２に示すように、時計ムーブメント１６が設けられており、この時計ムーブメント１６の下側には、回路基板１７が配置されている。
【００１４】
ところで、時針６および分針７は、図１および図２に示すように、指針軸１８に取り付けられている。この指針軸１８は、図１、図２および図４に示すように、文字板５および第１ソーラーパネル１３のほぼ中心部に設けられた貫通孔１９ａに挿入され、日付表示板１４、第２ソーラーパネル１５の内周部を通して時計ムーブメント１６に取り付けられている。
【００１５】
また、秒針８は、図１および図２に示すように、秒針軸２０に取り付けられている。この秒針軸２０は、図１、図２および図４に示すように、文字板５の副目盛部１２の中心に位置し、この状態で、指針軸１８と同様、文字板５および第１ソーラーパネル１３に設けられた貫通孔１９ｂに挿入され、日付表示板１４、第２ソーラーパネル１５を通して時計ムーブメント１６に取り付けられている。
【００１６】
時計ムーブメント１６は、図１および図２に示すように、指針軸１８を駆動回転させることにより、時針６および分針７を文字板５の上方で運針させて時分時刻を指示すると共に、秒針軸２０を駆動回転させることにより、秒針８を文字板５の副目盛部１２の上方で運針させて秒時刻を指示するほか、日付表示板１４を回転させることにより、日付表示板１４に表示された日付１０を文字板５の表示窓部９に対応させて日付１０が見えるように構成されている。
【００１７】
この場合、分針７における指針軸１８の近傍に位置する箇所には、図３（ａ）に示すように、第１光透過選択部２１が設けられており、時針６における指針軸１８の近傍に位置する箇所には、図３（ｂ）に示すように、第２光透過選択部２２が設けられている。また、第１ソーラーパネル１３における指針軸１８の近傍に位置する箇所には、図３（ｃ）に示すように、第１光検出部２３が設けられている。
【００１８】
この第１光検出部２３は、図２および図４に示すように、第１ソーラーパネル１３の発電部と分離した状態で、図５に示すように、複数の受光部２４が指針軸１８を中心とする円形状に配列されている。すなわち、この複数の受光部２４は、放射状に６０等分に分割され、そのそれぞれが光を受光すると起電力を発生するものであり、それぞれ独立して個別に回路基板１７と電気的に接続されている。
【００１９】
また、分針７の第１光透過選択部２１は、図３(ａ)に示すように、第１遮光部２１ａと第１光透過部２１ｂとからなる。後者の第１光透過部２１ｂは、分針７の先端部（同図では上端部）に対応する箇所に設けられており、この第１光透過部２１ｂｂは、第１光検出部２３を構成する複数の受光部２４のいずれか１つの受光部２４に対応する形状に形成されている。
【００２０】
また、時針６の第２光透過選択部２２は、図３（ｂ）に示すように、第２遮光部２２ｂと第２光透過部２２ａとからなる。前者の第２遮光部２２ｂは、時針６の先端部（同図では上端部）に対応する箇所に設けられており、この第２遮光部２２ｂは、第１光検出部２３を構成する複数の受光部２４のいずれか１つの受光部２４に対応する形状に形成されている。
【００２１】
これにより、第１光検出部２３は、図６（ａ）に示すように、時針６と分針７とが重なり合うと、６０個に分割された全ての受光部２４が第１、第２の各遮光部２１ａ、２２ｂで覆われて、いずれの受光部２４も光を受光しないため、起電力を発生しない。
また、図６（ｂ）に示すように、時針６と分針７とが重なり合わないときには、６０個に分割された受光部２４のいずれかが光を受光して起電力を発生し、この起電力の発生した受光部２４の位置（つまり何番目であるか）を検出することにより、時針６と分針７との位置を判断して現在時刻を判断するように構成されている。
【００２２】
例えば、図６(ａ)に示すように、時針６と分針７とが重なり合って、第１光検出部２３の６０個全ての受光部２４が光を受光することができない時刻は、図１２に示すように、０時００分、１時０５分、２時１０分、３時１６分、４時２１分、５時２７分、６時３２分、７時３８分、８時４３分、９時４９分、１０時５４分、１１時５９分の１２箇所の時刻である（図１２では第１光検出部２３の受光部２４が光を受光することができない時間の一部は省略している）。なお、図１２の表部分の横軸の各欄のうち、「時」は時針６が示す時の桁、「影」は針が作る影の位置、「分」は分針７が示す分の桁、「透過」は分針７が作る光透過の位置をそれぞれ示す。
【００２３】
また、図６(ｂ)に示すように、時針６と分針７とが重なり合わずに、時針６の第２遮光部２２ｂが０番目の受光部２４に対応した位置、すなわち０時００分の時刻位置にあり、これに対して、図１２に示すように、分針７が１分ずつ時計回り順次進んで、分針７の第１光透過部２１ｂが１番目の受光部２４から１１番目の受光部２４まで順に対して、１番目から１１番目までの各受光部２４が光を順次受光することにより、０時１分〜０時１１分であることが分かる。
【００２４】
また、時針６の第２遮光部２２ｂが１番目の受光部２４に対応した状態つまり０時の時間帯で、図１２に示すように、分針７が１分ずつ進んで、分針７の第１光透過部２１ｂが１２番目の受光部２４から２３番目の受光部２４まで順に対して、１２番目から２３番目までの各受光部２４が光を順次受光することにより、０時１２分〜０時２３分であることが分かる。
【００２５】
以下、同様に、時針６の第２遮光部２２ｂが４番目の受光部２４に対応した状態つまり０時の時間帯で、分針７が１分ずつ進んで、分針７の第１光透過部２１ｂが４８番目の受光部２４から５９番目の受光部２４まで順に対して、４８番目から５９番目までの各受光部２４が光を順次受光することにより、０時４８分〜０時５９分であることが分かる。
【００２６】
そして、図１２に示すように、時針６の第２遮光部２２ｂが５番目の受光部２４に対応した状態、つまり１時の時間帯で、分針７が１分ずつ進んで、分針７の第１光透過部２１ｂが０番目の受光部２４に対応して、０番目の受光部２４が光を受光することにより、１時００分であることが分かる。これにより、時針６の第２遮光部２２ｂが５番目の受光部２４から９番目の受光部２４までの間に対応した状態のときが、１時の間の時間を表す。
【００２７】
また、時針６の第２遮光部２２ｂが１０番目の受光部２４から１４番目の受光部２４までの間に対応した状態のときが、図１２に示すように、２時の時間帯を表す。以下、同様に、時針６の第２遮光部２２ｂが５５番目の受光部２４から５９番目の受光部２４までの間に対応した状態のときが、１１時の時間帯を表す。
【００２８】
ところで、秒針８には、図２および図７(ａ)に示すように、第３光透過選択部２５が秒針軸２０の近傍に位置して設けられている。また、文字板５の副目盛部１２に対応する第１ソーラーパネル１３の下面における秒針軸２０の近傍に位置する箇所には、図２、図４および図７（ｂ）に示すように、第２光検出部２６が設けられている。この第２光検出部２６は、図７（ｂ）に示すように、複数の受光部２６ａが秒針軸２０を中心とするほぼ円形状に配列されている。
【００２９】
すなわち、この複数の受光部２６ａは、第１光検出部２３と同様、放射状に６０等分に分割され、そのそれぞれが光を受光すると起電力を発生するものであり、それぞれ独立して個別に回路基板１７と電気的に接続されている。また、秒針８の第３光透過選択部２５は、図７(ａ)に示すように、第３遮光部２５ａと第３光透過部２５ｂとからなる。後者の第３光透過部２５ｂは、秒針８の先端部(同図では上端部)に対応する箇所に設けられており、この第３光透過部２５ｂは、第２光検出部２６を構成する複数の受光部２４のいずれか１つの受光部２６ａに対応する形状に形成されている。
【００３０】
これにより、第２光検出部２６は、第３光透過選択部２５の第３光透過部２５ｂを透過した光を６０個に分割された受光部２６ａのいずれかが、受光して起電力を発生し、この起電力を発生した受光部２６ａの位置（つまり何番目であるか）を検出することにより、秒針８の位置を判断して現在の秒時刻、つまり起電力を発生した受光部２６ａが１番目であれば１秒で、２番目であれば２秒で、５９番目であれば５９秒であると判断するように構成されている。
【００３１】
一方、日付表示板１４は、透明な材料からなり、図８に示すように、１〜３１の日付１０が表示された日付表示部２７が円周に沿って設けられ、この日付表示部２７が図１および図２に示すように文字板５の表示窓部９に順に対応することにより、表示窓部９を通して日付表示部２７に表示された日付１０のみが見えるように構成されている。この日付表示部２７には、図８および図１０（ａ）に示すように、日付１０に応じて光の透過状態が異なる第４光透過選択部２８がそれぞれ設けられている。
【００３２】
この日付表示板１４の下側に配置された第２ソーラーパネル１５は、図２および図９に示すように、日付表示板１４とほぼ同じ大きさのリング状に形成されて、時計ケース２内に固定されている。この第２ソーラーパネル１５における文字板５の表示窓部９に対応する箇所には、第３光検出部２９が設けられている。この第３光検出部２９は、図９および図１０（ｂ）に示すように、日付表示部２７に設けられた第４光透過選択部２８に対応して、受光部３０ａ〜３０ｆが複数に分割されて設けられている。
【００３３】
すなわち、この第３光検出部２９は、図１０（ａ）および図１０（ｂ）に示すように、日付表示部２７の上辺部に設けられた２つの上段受光部３０ａ、３０ｂと、日付表示部２７の下辺部に設けられた４つの下段受光部３０ｃ〜３０ｆとに分割されている。この場合、日付表示部２７の上辺部に設けられた２つの上段受光部３０ａ、３０ｂは、日付１０の１０桁目に対応し、日付表示部２７の下辺部に設けられた４つの下段受光部３０ｃ〜３０ｆは、日付１０の１桁目に対応する。
【００３４】
また、日付表示部２７の第４光透過選択部２８は、図１０（ａ）および図１０（ｂ）に示すように、第３光検出部２９の上段受光部３０ａ、３０ｂに対応する第４光透過部２８ａと、第３光検出部２９の下段受光部３０ｃ〜３０ｆに対応する第４光透過部２８ｂとに分割されている。この場合、第３光検出部２９の上段受光部３０ａ、３０ｂに対応する第４光透過部２８ａは、日付１０の１０桁目を表す部分であり、第３光検出部２９の下段受光部３０ｃ〜３０ｆに対応する第４光透過部２８ｂは、日付１０の１桁目を表す部分である。
【００３５】
例えば、日付１０が「２８日」である場合には、１０桁目の「２」を「００１０」で、１桁目の「８」を「１０００」で表すことができ、また日付１０が「１４日」であるときは、１０桁目の「１」を「０００１」で、１桁目の「４」を「０１００」で表すことができることにより、１０桁目は２分割で、１桁目は４分割で表すことができる。このため、第３光検出部２９の上段受光部３０ａ、３０ｂに対応する第４光透過部２８ａは２分割されており、第３光検出部２９の下段受光部３０ｃ〜３０ｆに対応する第４光透過部２８ｂは、４分割されている。
【００３６】
これにより、例えば、日付１０が「２８日」である場合には、図１０(ａ)に示すように、２分割された第４光透過部２８ａの一方、つまり上段受光部３０ａ、３０ｂのうち、同図の左側に位置する上段受光部３０ａと対応する部分が遮光部３１ａに形成され、４分割された第４光透過部２８ｂの一つ、つまり下段受光部３０ｃ〜３０ｆのうち、同図では左端部に位置する下段受光部３０ｃと対応する部分が遮光部３１ｂに形成されている。
【００３７】
このため、文字板５の表示窓部９に日付１０である「２８日」が対応した場合、第４光透過選択部２８を透過する外部光は、第４光透過部２８ａの遮光部３１ａと第４光透過部２８ｂの遮光部３１ｂとで遮光され、これ以外の第４光透過部２８ａと第４光透過部２８ｂとを透過し、第３光検出部２９の上段受光部３０ｂと下段受光部３０ｄ〜３０ｆで受光されることにより、日付１０が「２８日」であることが分かる。
【００３８】
したがって、第３光検出部２９は、日付表示部２７に設けられた第４光透過選択部２８が日付１０に応じて光の透過状態がそれぞれ異なることにより、この第４光透過選択部２８を透過した光を第３光検出部２９の上段受光部３０ａ、３０ｂおよび下段受光部３０ｃ〜３０ｆで選択的に受光することにより、その光の受光状態に応じて日付１０が分かるように構成されている。
【００３９】
次に、図１１のブロック図を参照して、この指針式の時計における回路構成について説明する。
この回路構成は、回路全般を制御するＣＰＵ（中央演算処理装置）３５、予め定められたプログラムが格納されたＲＯＭ（リードオンリーメモリ）３６、処理データを格納するＲＡＭ（ランダムアクセスメモリ）３７、ＣＰＵ３５を動作させるためのパルスを生成する発信回路３８、この発信回路３８で生成したパルスを適正な周波数（ＣＰＵ３５を動作させるための適正な周波数）に変換する分周回路３９を備えている。この場合、ＲＯＭ３６には、図１２に示された時刻対比データが格納されている。
【００４０】
また、この回路構成は、指針（時針６、分針７、秒針８、および日付表示板１４）を駆動回転させる時計ムーブメント１６、外部光を受光して発電する第１、第２の各ソーラーパネル１３、１５を備えている。この場合、第１ソーラーパネル１３は、分針７、時針６に対応する第１光検出部２３と、秒針８に対応する第２光検出部２６とを備えている。また、第２ソーラーパネル１５は、日付表示板１４の日付表示部２７に設けられた第４光透過選択部２８を透過した光を日付１０に応じて受光して日付１０を検出する第３光検出部２９を備えている。
【００４１】
更に、この回路構成は、上記のほかに、電池などの電源部４０、標準時刻電波を受信するアンテナ４１、受信した標準時刻電波を検波処理する検波回路４２、時刻を表示する表示部４３、この表示部４３を駆動するための表示駆動回路４４、報音をするスピーカ４５、このスピーカ４５を駆動するためのブザー回路４６、各種のモードを選択して切り替える複数の押釦スイッチＳＷを備えている。
【００４２】
次に、図１３を参照して、この指針式の時計における秒針８の位置を検出する秒針位置検出処理について説明する。
この秒針位置検出処理は、秒針８の秒時刻を判別する基本的な処理であり、予めＲＯＭ３６に秒の時刻対比データが格納されている。この秒針位置検出処理がスタートすると、ＣＰＵ３５は、第１ソーラーパネル１３の第２光検出部２６における受光部２６ａの全てを検索し(ステップＳ１)、光を受光して電圧が出力された受光部２６ａがあるか否かを判断する(ステップＳ２)。
【００４３】
このとき、受光部２６ａの全てから電圧が出力されないときは、時計ケース２の外部が暗いと判断し、ステップＳ１に戻って受光部２６ａのいずれかから電圧の出力があるまで、受光部２６ａの全てを検索する。そして、ステップＳ２で受光部２６ａのいずれかから電圧が出力された場合には、その出力された受光部２６ａが番号（何番目）をＲＡＭ３７に記憶し（ステップＳ３）、ＲＡＭ３７に記憶された受光部２６ａの番号と予めＲＯＭ３６に格納されている時刻対比データとを対比させて、電圧を出力した受光部２６ａの番号と秒針８の時刻とが同じであるか否かを判断する。
【００４４】
このとき、電圧を出力した受光部２６ａの番号と秒針８の時刻とが同じであれば、秒針８が合っていると判断し、この判断された現在時刻を表示部４３に表示させて(ステップＳ５)、この針位置検出処理を終了する。また、電圧を出力した受光部２６ａの番号と秒針８の時刻とが同じでなければ、秒針８が合っていないと判断し、秒針８を運針させて秒針８の位置を補正し(ステップＳ６)、この針位置検出処理を終了する。
【００４５】
次に、図１４を参照して、この指針式の時計における時針６、分針７の位置を検出する時分針位置検出処理について説明する。
この時分針位置検出処理は、分針７と時針６との時刻を判別する基本的な処理であり、予めＲＯＭ３６に図１２の時分の時刻対比データが格納されている。
【００４６】
この針位置検出処理がスタートすると、ＣＰＵ３５は、第１ソーラーパネル１３の第１光検出部２３における受光部２４の全てを検索し(ステップＳ１１)、光を受光して電圧が出力された受光部２４があるか否かを判断する(ステップＳ１２)。このとき、時計ケース２の外部が明るい状態で、時針６と分針７とが重なり合っていると、第１光検出部２３に光が照射されないため、受光部２４の全てから電圧が出力されない。
【００４７】
このときの時刻は、０時００分、１時０５分、２時１０分、３時１６分、４時２１分、５時２７分、６時３２分、７時３８分、８時４３分、９時４９分、１０時５４分、１１時５９のいずれかである。このため、ステップＳ１１に戻って受光部２４のいずれかから電圧の出力があるまで、受光部２４の全てを検出する。
【００４８】
そして、ステップＳ１２で受光部２４のいずれかから電圧が出力された場合には、その出力された受光部２４の番号（何番目）をＲＡＭ３７に記憶し（ステップＳ１３）、ＲＡＭ３７に記憶された受光部２４の番号と予めＲＯＭ３６に格納されている時刻対比データとを対比させることにより、まず、光を受光して電圧を出力した受光部２４の番号を分時刻として判別する。
【００４９】
このとき、受光部２４の全てから電圧が出力されないときの時刻は、０時００分、１時０５分、２時１０分、３時１６分、４時２１分、５時２７分、６時３２分、７時３８分、８時４３分、９時４９分、１０時５４分、１１時５９のいずれかであることから、次に光を受光して電圧を出力した受光部２４の番号が１番目であれば０時１分、６番目であれば１時６分、１１番目であれば２時１１分、以下同様に、５５番目であれば１０時５５分、０番目であれば０時０分であると判断する。
【００５０】
これにより、受光部２４の全てから電圧が出力されないときの時刻の次に光を受光して電圧を出力した受光部２４の番号を０時から１１時のいずれかの時間帯としてＲＡＭ３７に記憶させておくことにより、ＲＡＭ３７に記憶された時間帯および受光部２４の番号と予めＲＯＭ３６に格納されている時刻対比データとを対比させる(ステップＳ１４)。
【００５１】
このステップＳ１４で、ＲＡＭ３７に記憶された時間帯および受光部２４の番号と現在時刻とが同じであれば、分針７、時針が合っていると判断し、この判断された現在時刻を表示部４３に表示させて(ステップＳ１５)、この針位置検出処理を終了する。また、ＲＡＭ３７に記憶された時間帯および受光部２４の番号と現在時刻とが同じでなければ、分針７、時針６が合っていないと判断し、分針７、時針６を運針させて分針７、時針６の位置を補正し(ステップＳ１６)、この針位置検出処理を終了する。
【００５２】
次に、図１５を参照して、この指針式の時計における日付１０を検出する日付検出処理について説明する。
この日付検出処理は、日付表示板１４に表示された日付１０を判別する基本的な処理であり、予めＲＯＭ３６に日付対比データが格納されている。この日付検出処理がスタートすると、ＣＰＵ３５は、第２ソーラーパネル１５の第３光検出部２９における受光部３０ａ〜３０ｆの全てを検索し(ステップＳ２１)、光を受光して電圧が出力された受光部３０ａ〜３０ｆがあるか否かを判断する(ステップＳ２２)。
【００５３】
このとき、受光部３０ａ〜３０ｆの全てから電圧が出力されないときは、時計ケース２の外部が暗いと判断し、ステップＳ２１に戻って受光部３０ａ〜３０ｆのいずれかから電圧の出力があるまで、受光部３０ａ〜３０ｆの全てを検索する。そして、ステップＳ２２で受光部３０ａ〜３０ｆのいずれかから電圧が出力された場合には、その出力された受光部３０ａ〜３０ｆの受光状態をＲＡＭ３７に記憶する（ステップＳ２３）。
【００５４】
このステップＳ２３で、ＲＡＭ３７に記憶された受光部３０ａ〜３０ｆの受光状態と予めＲＯＭ３６に格納されている日付対比データの番号とを対比させて、電圧を出力した受光部３０ａ〜３０ｆの受光状態と日付対比データとが同じであるか否かを判断する（ステップＳ２４）。例えば、文字板５の表示窓部９に日付１０である「２８日」が対応した場合、第４光透過選択部２８を透過する外部光は、第４光透過部２８ａの遮光部３１ａと第４光透過部２８ｂの遮光部３１ｂとで遮光され、これ以外の第４光透過部２８ａと第４光透過部２８ｂとを透過し、第３光検出部２９の上段受光部３０ｂと下段受光部３０ｄ〜３０ｆで受光されることにより、日付１０が「２８日」であることが分かる。
【００５５】
このとき、電圧を出力した受光部３０ａ〜３０ｆの受光状態と日付対比データとが同じであれば、日付１０が合っていると判断し、この判断された現在の日付を、表示部４３に表示させて(ステップＳ２５)、この日付検出処理を終了する。また、電圧を出力した受光部３０ａ〜３０ｆの受光状態と日付対比データとが同じでなければ、日付１０が合っていないと判断し、日付表示板１４を回転させて日付１０を補正し(ステップＳ２６)、この日付検出処理を終了する。
【００５６】
このように、この指針式の時計によれば、第３光透過部２５ｂを有する秒針８と、この秒針８の下側に配置されて第３光透過部２５ｂの移動軌跡上に沿って受光部２６ａが複数に分割された第２光検出部２６を有する第１ソーラーパネル１３と、秒針８の第３光透過部２５ｂを透過した光を複数の受光部２６ａが選択的に受光し、その光の受光位置に応じて秒針８の位置を判断する判断手段（ＣＰＵ３５）とを備えているので、複数の受光部２６ａが選択的に光を受光した受光位置に応じて秒針８の位置をＣＰＵ３５によって簡単に判断することができ、このためリアルタイムで秒針８の位置を正確に且つ確実に判断することができる。
【００５７】
また、この指針式の時計によれば、第１光透過部２１ｂを有する分針７および第２光透過部２２ａを有する時針６と、分針７および時針６の下側に配置されて第１、第２の各光透過部２１ｂ、２２ａの移動軌跡上に沿って受光部２４が複数に分割された第１光検出部２３を有する第１ソーラーパネル１３と、分針７および時針６の第１、第２の各光透過部２１ｂ、２２ａを透過した光を複数の受光部２４が選択的に受光することにより、その光の受光状態に応じて分針７および時針６の位置を判断する判断手段（ＣＰＵ３５）とを備えていることにより、リアルタイムで指針の位置を判断することができる。
【００５８】
すなわち、この指針式の時計における針位置検出装置では、分針７および時針６の第１、第２の各光透過部２１ｂ、２２ａを透過した光を第１ソーラーパネル１３に設けられた第１光検出部２３における複数の受光部２４が選択的に受光することにより、その光の受光状態に応じて分針７および時針６の位置をＣＰＵ３５によって簡単に判断することができ、このためリアルタイムで分針７および時針６の位置を正確に且つ確実に判断することができる。
【００５９】
この場合、分針７および時針６の第１、第２の各光透過部２１ｂ、２２ａと第１ソーラーパネル１３の第１光検出部２３とは、分針７および時針６の指針軸１８の近傍に設けられていることにより、分針７および時針６の第１、第２の各光透過部２１ｂ、２２ａと第１ソーラーパネル１３の第１光検出部２３とを回転中心に近づけることができ、これによりコンパクトに構成することができると共に、正確に分針７および時針の位置を判断することができる。
【００６０】
また、秒針８においても、分針７および時針６と同様、第３光透過部２５ｂと第１ソーラーパネル１３の第２光検出部２６とが、秒針軸２０の近傍に設けられていることにより、秒針８の第３光透過部２５ｂと第１ソーラーパネル１３の第２光検出部２６とを回転中心に近づけることができ、これによりコンパクトに構成することができると共に、正確に秒針８の位置を判断することができる
【００６１】
また、この指針式の時計における日付検出装置によれば、円周に沿って日付１０が順次表示された各日付表示部２７に、日付１０ごとに光の透過状態が異なる第４光透過選択部２８が設けられた日付表示板１４と、この日付表示板１４の上側に配置されて日付表示部２７のいずれかが対応する表示窓部９を有する文字板５と、日付表示板１４の下側に文字板５の表示窓部９と対応して配置され、且つ受光部３０ａ〜３０ｆが複数に分割された第３光検出部２９を有する第２ソーラーパネル１５と、表示窓部９に対応したいずれかの日付表示部２７の第４光透過選択部２８を透過した光を複数の受光部３０ａ〜３０ｆが第４光透過選択部２８の光透過状態に応じて受光することにより、その光の受光状態に応じて日付１０を判断する判断手段（ＣＰＵ３５）とを備えているので、表示窓部９に対応する日付１０を簡単に且つ容易に判断することができる。
【００６２】
すなわち、この日付検出装置では、第２ソーラーパネル１５の第３光検出部２９が、日付表示部２７の上辺部に設けられた２つの上段受光部３０ａ、３０ｂと、日付表示部２７の下辺部に設けられた４つの下段受光部３０ｃ〜３０ｆとに分割され、上段受光部３０ａ、３０ｂが日付１０の１０桁目に対応し、下段受光部３０ｃ〜３０ｆが日付１０の１桁目に対応し、日付表示部２７の第４光透過選択部２８が上段受光部３０ａ、３０ｂに対応する第４光透過部２８ａと、下段受光部３０ｃ〜３０ｆに対応する第４光透過部２８ｂとに分割され、第４光透過部２８ａが日付１０の１０桁目を表し、第４光透過部２８ｂが日付１０の１桁目を表すので、日付表示部２７の第４光透過部２８ａ、２８ｂが日付１０に応じて光の透過状態がそれぞれ異なり、この透過状態の異なる光を第３光検出部２９の受光部３０ａ〜３０ｆで受光することにより、その光の受光状態に応じて日付１０を正確に且つ確実に判断することができる。
【００６３】
（実施形態２）
次に、図１６〜図１９を参照して、この発明を適用した指針式の時計の実施形態２について説明する。なお、図１〜図１５に示された実施形態１と同一部分には同一符号を付して説明する。
この指針式の時計は、分針７の第１光透過選択部５０と、時針６の第２光透過選択部５１と、第１ソーラーパネル１３の第１光検出部５２とが実施形態１と異なる構成であり、これ以外は実施形態１とほぼ同じ構成になっている。
【００６４】
すなわち、第１ソーラーパネル１３の第１光検出部５２は、図１７（ａ）〜図１７（ｃ）に示すように、指針軸１８の近傍に位置し、中心側に位置する内側リング部と、その外周側に位置する外側リング部とを有する２重リング形状に形成されている。この場合、中心側のリング部には、図１７（ａ）および図１７（ｂ）に示すように、第１受光部５２ａが６０等分に分割されて形成されており、外周側のリング部には、図１７（ａ）および図１７（ｃ）に示すように、第２受光部５２ｂが１２等分に分割されて形成されている。
【００６５】
分針７の第１光透過選択部５０は、図１６（ａ）に示すように、第１光検出部５２における中心側のリング部に対応する第１遮光部５０ａの一部、つまり分針７の先端部(同図では上端部)に対応する箇所に第１光透過部５０ｂが設けられ、この第１光透過部５０ｂが第１光検出部５２のいずれか１つの第１受光部５２ａに対応するように形成されている。
【００６６】
また、時針６の第２光透過選択部５１は、図１６（ｂ）に示すように、第１光検出部５２における外周側のリング部に対応する第２遮光部５１ａの一部、つまり時針６の先端部(同図では上端部)に対応する箇所に第２光透過部５１ｂが設けられ、この第２光透過部５１ｂが第１光検出部５２のいずれか１つの第２受光部５２ｂに対応するように形成されている。
【００６７】
これにより、第１光検出部５２は、図１６および図１７に示すように、分針７の第１光透過部５０ｂを透過した光が第１受光部５２ａのいずれか１つに照射されて起電力を発生することにより、分時刻を判断し、時針６の第２光透過部５１ｂを透過した光が第２受光部５２ｂのいずれか１つに照射されて起電力を発生することにより、時時刻を判断するように構成されている。
【００６８】
すなわち、この第１光検出部５２は、図１８に示すように、時針６の第２光透過部５１ｂを透過した光が第２受光部５２ｂの１番目に照射されて起電力を発生すると、１時の時間帯であると判断し、第２光透過部５１ｂを透過した光が第２受光部５２ｂの２番目に照射されて起電力を発生すると、２時の時間帯であると判断し、以下同様に、第２光透過部５１ｂを透過した光が第２受光部５２ｂの１２番目に照射されて起電力を発生すると、１２時(０時)の時間帯であると判断する。
【００６９】
また、この第１光検出部５２は、図１８に示すように、分針６の第１光透過部５０ｂを透過した光が第１受光部５２ａの１番目に照射されて起電力を発生すると、１分であると判断し、第１光透過部５０ｂを透過した光が第１受光部５２ａの２番目に照射されて起電力を発生すると、２分であると判断し、以下同様に、第１光透過部５０ｂを透過した光が第１受光部５２ａの５９番目に照射されて起電力を発生すると、５９分であると判断する。
【００７０】
次に、図１９を参照して、この指針式の時計における分針７、時針６の位置を検出する針位置検出処理について説明する。
この針位置検出処理は、時針６および分針７の位置を検出する処理であり、予めＲＯＭ３６に図１８に示す時分の時刻対比データが格納されている。この針位置検出処理がスタートすると、ＣＰＵ３５は、第１ソーラーパネル１３の第１光検出部５２における第１受光部５２ａの全てを検索し(ステップＳ３１)、第１光透過部５０ｂを透過した光を受光して電圧が出力された第１受光部５２ａがあるか否かを判断する(ステップＳ３２)。
【００７１】
このとき、第１受光部５２ａの全てから電圧が出力されないときには、時計ケース２の外部が暗いと判断し、ステップＳ３１に戻って第１受光部５２ａのいずれかから電圧の出力があるまで、第１受光部５２ａの全ての検出を繰り返す。そして、ステップＳ３２で第１受光部５２ａのいずれかが、第１光透過部５０ｂを透過した光を受光して電圧を出力した場合には、その出力された第１受光部５２ａの番号（何番目）をＲＡＭ３７に記憶し（ステップＳ３３）、このＲＡＭ３７に記憶された第１受光部５２ａの番号とＲＯＭ３６の時刻対比データとを対比させることにより、現在の分時刻を判別する（ステップＳ３４）。
【００７２】
すなわち、ステップＳ３２で１番目の第１受光部５２ａから電圧が出力された場合には、その出力された１番目の第１受光部５２ａの番号とＲＯＭ３６の時刻対比データとを対比することにより、現在の分時刻が１分であると判断し、また１２番目の第１受光部５２ａから電圧が出力された場合には、その出力された１２番目の第１受光部５２ａの番号とＲＯＭ３６の時刻対比データとを対比することにより、現在の分時刻が１２分であると判断する。
【００７３】
そして、第１ソーラーパネル１３の第１光検出部５２における第２受光部５２ｂの全てを検索し(ステップＳ３５)、第２光透過部５１ｂを透過した光を受光して電圧が出力された第２受光部５２ｂがあるか否かを判断する(ステップＳ３６)。このとき、第２受光部５２ｂの全てから電圧が出力されないときには、ステップＳ３５に戻って第２受光部５２ｂのいずれかから電圧の出力があるまで、第２受光部５２ｂの全ての検出を繰り返す。
【００７４】
このステップＳ３６で、第２受光部５２ｂのいずれかが、第２光透過部５１ｂを透過した光を受光して電圧を出力した場合には、その出力された第２受光部５２ｂの番号（何番目）をＲＡＭ３７に記憶し（ステップＳ３７）、このＲＡＭ３７に記憶された第２受光部５２ｂの番号とＲＯＭ３６の時刻対比データとを対比させることにより、現在の時時刻を判別する（ステップＳ３８）。
【００７５】
すなわち、ステップＳ３６で１番目の第２受光部５２ｂから電圧が出力された場合には、その出力された１番目の第２受光部５２ｂの番号とＲＯＭ３６の時刻対比データとを対比することにより、現在の時時刻が１時であると判断する。また、ステップＳ３６で、６番目の第２受光部５２ｂが第２光透過部５１ｂを透過した光を受光して電圧を出力した場合には、その出力された６番目の第２受光部５２ｂの番号とＲＯＭ３６の時刻対比データとを対比することにより、現在の時時刻が６時であると判断する。
【００７６】
そして、ＲＡＭ３７に記憶された第１、第２の各受光部５２ａ、５２ｂの番号とＲＯＭ３６の時刻対比データとが同じであるか否かを判別し（ステップＳ３８）、同じであれば、分針７、時針６が合っていると判断し、表示部４３に表示させて(ステップＳ４０)、この日付検出処理を終了する。また、ＲＡＭ３７に記憶された第１、第２の各受光部５２ａ、５２ｂの番号とＲＯＭ３６の時刻対比データとが同じでなければ、分針７、時針６が合っていないと判断し、分針７、時針６を運針させて分針７、時針６を補正し(ステップＳ４１)、この針位置検出処理を終了する。
【００７７】
このように、この指針式の時計によれば、実施形態１と同様の作用効果があるほか、分針７と時針６とが、それぞれ異なる回転軌跡上に設けられた第１、第２の各光透過部５０ｂ、５１ｂを備えており、第１ソーラーパネル１３の第１光検出部５２が、分針７の第１光透過部５０ｂの回転軌跡上に対応して複数に分割された第１受光部５２ａと、時針７の第２光透過部５１ｂの回転軌跡上に対応して複数に分割された第２受光部５２ｂとを有しているので、分針７、時針６の第１、第２の各光透過部５０ｂ、５１ｂを透過した光を第１ソーラーパネル１３の第１光検出部５２における第１、第２の各受光部５２ａ、５２ｂで選択的に受光することにより、その光の受光状態に応じて分針７、時針６の位置をＣＰＵ３５で簡単に判断することができ、これによりリアルタイムで指針の位置を判断することができる。
【００７８】
すなわち、この針位置検出装置では、分針７の第１光透過部５０ｂを透過した光を第１検出部５２の６０等分された第１受光部５２ａで受光することにより、現在の分時刻をＣＰＵ３５で速やかに判別することができると共に、時針６の第２光透過部５１ｂを透過した光を第１検出部５２の１２等分された第２受光部５２ｂで受光することにより、現在の時時刻をＣＰＵ３５で速やかに判別することができる。このため、分時刻と時時刻とを個別に時刻対比データと対比させることができるので、分時刻と時時刻とを容易に判断することができ、これにより現在時刻をリアルタイムで簡単に且つ正確に判別することができる。
【００７９】
（実施形態３）
次に、図２０〜図２２を参照して、この発明を適用した指針式の時計の実施形態３について説明する。この場合にも、図１〜図１５に示された実施形態１と同一部分に同一符号を付して説明する。
この指針式の時計は、指針軸１８に時針６、分針７、秒針８を取り付けた３針式の構造で、秒針８に第１光透過選択部６０を設け、分針７に第２光透過選択部６１を設け、時針６に第３光透過選択部６２を設け、第１ソーラーパネル１３に第１光検出部６３を設けた構成であり、これ以外は実施形態１とほぼ同じ構成なっている。
【００８０】
すなわち、第１ソーラーパネル１３の第１光検出部６３は、図２２（ａ）〜図２２（ｄ）に示すように、指針軸１８の近傍に位置し、中心側に位置する第１リング部と、その外周側に位置する第２リング部と、この第２リング部の更に外周側に位置する第３リング部とを有する３重リング形状に形成されている。この場合、中心側の第１リング部には第１受光部６３ａが６０等分に分割されて形成されており、第２リング部にも第２受光部６３ｂが６０等分に分割されて形成されており、第３リング部には第３受光部６３ｃが１２等分に分割されて形成されている。
【００８１】
秒針８の第１光透過選択部６０は、図２０および図２１（ｂ）に示すように、第１光検出部６３における中心側の第１リング部に対応する第１遮光部６０ａの一部、つまり秒針８の先端部(同図では上端部)に対応する箇所に第１光透過部６０ｂが設けられ、この第１光透過部６０ｂが第１光検出部６３の第１受光部６３ａのいずれか１つに対応するように形成されている。
【００８２】
また、分針７の第２光透過選択部６１は、図２０および図２１（ｃ）に示すように、第１光検出部６３における第２リング部に対応する第２遮光部６１ａの一部、つまり分針７の先端部(同図では上端部)に対応する箇所に第２光透過部６２１ｂが設けられ、この第２光透過部６１ｂが第１光検出部６３の第２受光部６３ｂのいずれか１つに対応するように形成されている。
【００８３】
さらに、時針６の第３光透過選択部６２は、図２０および図２１（ｄ）に示すように、第１光検出部６３における第３リング部に対応する第３遮光部６２ａの一部、つまり時針６の先端部(同図では上端部)に対応する箇所に第３光透過部６２ｂが設けられ、この第３光透過部６２ｂが第１光検出部６３の第３受光部６３ｃのいずれか１つに対応するように形成されている。
【００８４】
これにより、第１光検出部６３は、図２１および図２２に示すように、秒針８の第１光透過部６０ｂを透過した光が第１受光部６３ａのいずれか１つに照射されて起電力を発生することにより、秒時刻を判断し、分針７の第２光透過部６１ｂを透過した光が第２受光部６３ｂのいずれか１つに照射されて起電力を発生することにより、分時刻を判断し、時針６の第３光透過部６２ｂを透過した光が第３受光部６３ｃのいずれか１つに照射されて起電力を発生することにより、時時刻を判断するように構成されている。
【００８５】
すなわち、この第１光検出部６３は、時針６の第３光透過部６２ｂを透過した光が第３受光部６３ｃの１番目に照射されて起電力を発生すると、１時の時間帯であると判断し、第３光透過部６２ｂを透過した光が第３受光部６３ｃの２番目に照射されて起電力を発生すると、２時の時間帯であると判断し、以下同様に、第３光透過部６２ｂを透過した光が第３受光部６３ｃの１２番目に照射されて起電力を発生すると、１２時(０時)の時間帯であると判断する。
【００８６】
また、この第１光検出部６３は、分針７の第２光透過部６１ｂを透過した光が第２受光部６３ｂの１番目に照射されて起電力を発生すると、１分であると判断し、第２光透過部６１ｂを透過した光が第２受光部６３ｂの２番目に照射されて起電力を発生すると、２分であると判断し、以下同様に、第２光透過部６１ｂを透過した光が第２受光部６３ｂの５９番目に照射されて起電力を発生すると、５９分であると判断する。
【００８７】
さらに、この第１光検出部６３は、秒針８の第１光透過部６０ｂを透過した光が第１受光部６３ａの１番目に照射されて起電力を発生すると、１秒であると判断し、第１光透過部６０ｂを透過した光が第１受光部６３ａの２番目に照射されて起電力を発生すると、２秒であると判断し、以下同様に、第１光透過部６０ｂを透過した光が第１受光部６３ａの５９番目に照射されて起電力を発生すると、５９秒であると判断する。
【００８８】
このように、この針位置検出装置においても、実施形態１、２と同様、秒針８、分針７、時針６の第１〜第３の各光透過部６０ｂ〜６２ｂを透過した光を第１ソーラーパネル１３の第１光検出部６３における第１〜第３の各受光部６３ａ〜６３ｃでそれぞれ選択的に受光することにより、その光の受光状態に応じて秒針８、分針７、時針６の位置を判断することができ、これによりリアルタイムで指針の位置を判断することができる。
【００８９】
すなわち、この針位置検出装置では、秒針８の第１光透過部６０ｂを透過した光を第１検出部６３の６０等分された第１受光部６３ａで受光することにより、現在の秒時刻を判別することができると共に、分針７の第２光透過部６１ｂを透過した光を第１検出部６３の６０等分された第２受光部６３ｂで受光することにより、現在の分時刻を判別することができ、且つ時針６の第３光透過部６２ｂを透過した光を第１検出部６３の１２等分された第３受光部６３ｃで受光することにより、現在の時時刻を判別することができる。
【００９０】
このため、秒時刻、分時刻、時時刻をそれぞれ個別に時刻対比データと対比させることができるので、秒時刻、分時刻、時時刻を容易に判断することができ、これにより現在時刻をリアルタイムで簡単に且つ正確に判別することができる。
【００９１】
なお、上記実施形態１〜３では、指針式の時計に適用した場合について述べたが、必ずしも時計である必要はなく、例えばメータなどの計器類にも広く適用することができる。
【図面の簡単な説明】
【００９２】
【図１】この発明を適用した指針式の時計における時計モジュールの実施形態１を示した拡大正面図である。
【図２】図１の時計モジュールを時計ケース内に組み付けた状態を示した拡大断面図である。
【図３】図２の分針、時針、および第１ソーラーパネルの第１光検出部を示し、（ａ）はその分針の拡大正面図、（ｂ）は時針の拡大正面図、（ｃ）は第１光検出部の拡大正面図である。
【図４】図２の文字板および第１ソーラーパネルにおける要部を示した拡大断面図である。
【図５】図３（ｃ）の第１光検出部を更に拡大して示した正面図である。
【図６】図３に示された分針と時針との動作状態を示し、（ａ）は分針と時針とが重なり合った状態を示した正面図、（ｂ）は分針と時針とが相互にずれた状態を示した正面図である。
【図７】図２の秒針および第１ソーラーパネルの第２光検出部を示し、（ａ）はその秒針の拡大正面図、（ｂ）は第２光検出部の拡大正面図である。
【図８】図２の日付表示板を示した拡大正面図である。
【図９】図２の第２ソーラーパネルを示した拡大正面図である。
【図１０】図１の文字板の表示窓部に対応する日付表示板の日付表示部を示し、（ａ）はその日付表示部の拡大正面図、（ｂ）はこの日付表示部に対応する第２ソーラーパネルの第２光検出部を示した拡大正面図である。
【図１１】図１の時計の回路構成を示したブロック図である。
【図１２】図５の第１光検出部による光の受光状態と現在時刻との関係において、０時００分から１１時５９分までの対応関係を表で示した図である。
【図１３】図１１の回路構成において秒針位置検出処理のフローを示した図である。
【図１４】図１１の回路構成において時分針位置検出処理のフローを示した図である。
【図１５】図１１の回路構成において日付検出処理のフローを示した図である。
【図１６】この発明を指針式の時計に適用した実施形態２において分針、時針を示し、（ａ）はその分針の拡大正面図、（ｂ）はその時針の拡大正面図である。
【図１７】図１６の分針および時針に対応する第１ソーラーパネルの第１光検出部を示し、（ａ）はその第１光検出部を示した拡大正面図、（ｂ）はその第１光検出部の第１受光部を示した拡大正面図、（ｃ）は第１光検出部の第２受光部を示した拡大正面図である。
【図１８】図１７の第１光検出部による光の受光状態と現在時刻との関係を表で示した図である。
【図１９】図１６および図１７における針位置検出処理の動作フローを示した図である。
【図２０】この発明を指針式の時計に適用した実施形態３における時計モジュールの拡大正面図である。
【図２１】図２０の秒針、分針、時針を示し、（ａ）はその秒針の拡大正面図、（ｂ）はその分針の拡大正面図、（ｃ）はその時針の拡大正面図である。
【図２２】図２０の秒針、分針、時針に対応する第１ソーラーパネルの第１光検出部を示し、（ａ）はその拡大正面図、（ｂ）はその第１受光部を示した拡大正面図、（ｃ）はその第２受光部を示した拡大正面図、（ｄ）はその第３受光部を示した拡大正面図である。
【符号の説明】
【００９３】
１  時計モジュール
５  文字板
６  時針
７  分針
８  秒針
９  表示窓部
１０  日付
１３  第１ソーラーパネル
１４  日付表示板
１５  第２ソーラーパネル
１６  時計ムーブメント
１８  指針軸
２０  秒針軸
２１、５０、６０  第１光透過選択部
２１ａ、５０ａ、６０ａ  第１遮光部
２１ｂ、５０ｂ、６０ｂ  第１光透過部
２２、５１、６１  第２光透過選択部
２２ａ、５１ｂ、６１ｂ  第２光透過部
２２ｂ、５１ａ、６１ａ  第２遮光部
２３、５２、６３  第１光検出部
２４、２６ａ、３０ａ〜３０ｆ  受光部
２５、６２  第３光透過選択部
２５ａ、６２ａ  第３遮光部
２５ｂ、６２ｂ  第３光透過部
２６  第２光検出部
２７  日付表示部
２８  第４光透過選択部
２８ａ、２８ｂ  第３光透過部
２９  第３光検出部
３５  ＣＰＵ
５２ａ、６３ａ  第１受光部
５２ｂ、６３ｂ  第２受光部
６３ｃ  第３受光部
【図１】
2010066054.tif 000003
【図２】
2010066054.tif 000004
【図３】
2010066054.tif 000005
【図４】
2010066054.tif 000006
【図５】
2010066054.tif 000007
【図６】
2010066054.tif 000008
【図７】
2010066054.tif 000009
【図８】
2010066054.tif 000010
【図９】
2010066054.tif 000011
【図１０】
2010066054.tif 000012
【図１１】
2010066054.tif 000013
【図１２】
2010066054.tif 000014
【図１３】
2010066054.tif 000015
【図１４】
2010066054.tif 000016
【図１５】
2010066054.tif 000017
【図１６】
2010066054.tif 000018
【図１７】
2010066054.tif 000019
【図１８】
2010066054.tif 000020
【図１９】
2010066054.tif 000021
【図２０】
2010066054.tif 000022
【図２１】
2010066054.tif 000023
【図２２】
2010066054.tif 000024